【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
支持体；ならびに
（Ａ）エチレンベースのコポリマーおよびプロピレンベースのコポリマーからなる群より選択された少なくとも１つのベースポリマー；および
（Ｂ）少なくとも１つのポリマー安定剤
を含んでいる水性分散液；ならびに
少なくとも１つの充填剤、を含有するカーペット；であって、
前記ポリマー安定剤は、前記少なくとも１つのベースポリマーと異なり、前記少なくとも１つのベースポリマーおよび前記少なくとも１つの充填剤と適合性があり、前記分散液は、前記少なくとも１つのベースポリマーと前記ポリマー安定剤との組み合わせ量１００部あたり０〜約６００部超の範囲内にある充填剤を有するカーペット。
【請求項２】
前記少なくとも１つのベースポリマーが、前記水性分散液の約３５〜５５容量％を構成する、請求項１に記載のカーペット。
【請求項３】
前記安定剤が、少なくとも１つの中和された極性ポリマーを含む、請求項１に記載のカーペット。
【請求項４】
前記極性ポリマーが、コモノマーとしての極性基を有するポリオレフィン、およびグラフト化モノマーとしての極性基を有するポリオレフィンから選択された少なくとも１つを含む、請求項３に記載のカーペット。
【請求項５】
前記少なくとも１つのベースポリマーと前記ポリマー安定剤との組み合わせ量は、前記水性分散液の約１〜約７４容量％を構成する、請求項４に記載のカーペット。
【請求項６】
約６〜約１４のｐＨを有する化合物を含む、請求項１に記載のカーペット。
【請求項７】
前記水性分散液が、約０．３〜約３．０ミクロンの平均粒子サイズを有する水性分散液を含む、請求項１に記載のカーペット。
【請求項８】
さらに、湿潤剤、界面活性剤、帯電防止剤、中和剤、起泡剤、増粘剤、レオロジー調節剤、殺生物剤、および防カビ剤から選択された少なくとも１つも含む、請求項１に記載のカーペット。
【請求項９】
カーペットを製造する方法であって、
支持体を選択する工程；
（Ａ）エチレンベースのコポリマーおよびプロピレンベースのコポリマーからなる群より選択された少なくとも１つのベースポリマー；および
（Ｂ）少なくとも１つのポリマー安定剤
；ならびに
少なくとも１つの充填剤、を含有する水性分散液を選択する工程であって、前記ポリマー安定剤は、前記少なくとも１つのベースポリマーと異なり、前記少なくとも１つのベースポリマーおよび前記少なくとも１つの充填剤と適合性があり、前記分散液は、前記少なくとも１つのベースポリマーと前記ポリマー安定剤との組み合わせ量１００部あたり０〜約６００部超の範囲内にある充填剤を有し；
前記分散液をガスで起泡させる工程；および
前記起泡した分散液を前記支持体へ適用する工程
を含む方法。
【請求項１０】
さらに、前記支持体を高温へ暴露することによって、水の少なくとも一部分を除去する工程も含む、請求項９に記載の方法。
【請求項１１】
さらに、前記支持体を高温へ暴露することによって、水の少なくとも一部分を除去する工程も含む方法であって、該温度が６５〜１２５℃である、請求項９に記載の方法。
【請求項１２】
前記支持体が、織布または不織布テキスタイルを含む、請求項９に記載の方法。
【請求項１３】
カーペット構成方法であって、
接着剤としての化合物をカーペットへ適用する工程であって、前記化合物が、
（Ａ）エチレンベースのコポリマーおよびプロピレンベースのコポリマーからなる群より選択された少なくとも１つのベースポリマー；
（Ｂ）少なくとも１つのポリマー安定剤；および
（Ｃ）少なくとも１つの充填剤
を含み、
前記ポリマー安定剤が、前記少なくとも１つのベースポリマーとは異なり、前記少なくとも１つのベースポリマーおよび前記少なくとも１つの充填剤と適合性があり、前記分散液が、前記少なくとも１つのベースポリマーとこのポリマー安定剤との組み合わせ量１００部あたり０〜約６００部超の範囲で充填剤を有する工程を含む方法。
【請求項１４】
カーペットが、織布カーペットを含む、請求項１３に記載の方法。
【請求項１５】
カーペットが、ニードルパンチカーペットを含む、請求項１３に記載の方法。
【請求項１６】
カーペットが、タフテッドカーペットを含む、請求項１３に記載の方法。
【請求項１７】
カーペットが、人工ターフを含む、請求項１３に記載の方法。
【請求項１８】
第一支持体および第二支持体を含有する物品であって、第一支持体および第二支持体が、
（Ａ）エチレンベースのコポリマーおよびプロピレンベースのコポリマーからなる群より選択された少なくとも１つのベースポリマー；および
（Ｂ）少なくとも１つのポリマー安定剤
；ならびに
少なくとも１つの充填剤、を含有する水性分散液によって互いに結合されており、前記ポリマー安定剤は、前記少なくとも１つのベースポリマーと異なり、前記少なくとも１つのベースポリマーおよび前記少なくとも１つの充填剤と適合性があり、前記分散液は、前記少なくとも１つのベースポリマーと前記ポリマー安定剤との組み合わせ量１００部あたり０〜約６００部超の範囲内にある充填剤を有する
物品。
【請求項１９】
さらに、前記カーペットの温度を、エチレンベースの熱可塑性ポリマー、プロピレンベースの熱可塑性ポリマー、およびこれらの混合物からなる群より選択された前記ポリマーの融点に等しいかまたはそれ以上の範囲の温度へ上昇させる工程も含む、請求項９に記載の方法。
【請求項２０】
さらに、前記カーペットの温度を、エチレンベースの熱可塑性ポリマー、プロピレンベースの熱可塑性ポリマー、およびこれらの混合物からなる群より選択された前記ポリマーの融点未満の範囲の温度へ上昇させる工程も含む、請求項９に記載の方法。
【請求項２１】
カーペット；および
連続ベースポリマー相であって、前記ベースポリマーが、エチレンベースの熱可塑性ポリマー、プロピレンベースの熱可塑性ポリマー、およびこれらの混合物からなる群より選択された相；および
前記連続ベースポリマー相中に分散された離散安定剤相を含有するフィルム
を含む物品。
【請求項２２】
カーペット；ならびに
フィルムであって、連続安定剤相；および
前記連続安定剤相中に分散された離散ベースポリマー相であって、前記ベースポリマーが、エチレンベースの熱可塑性ポリマー、プロピレンベースの熱可塑性ポリマー、およびこれらの混合物からなる群より選択された相を含有するフィルム、
を含む物品。
【手続補正２】
【補正対象書類名】明細書
【補正対象項目名】００９６
【補正方法】変更
【補正の内容】
【００９６】
式中、Ｎは、ＢＩｉが０超であるフラクションの数として規定される。各ポリマーフラクションについて、ＢＩは、２つの次の等式の１つによって規定される（これらの両方は、同じＢＩ値を与える）。
【手続補正３】
【補正対象書類名】明細書
【補正対象項目名】０１０１
【補正方法】変更
【補正の内容】
【０１０１】
式中、αおよびβは、広い組成のランダムコポリマーの多くの十分に特徴付けられた分取ＴＲＥＦフラクション、および／または狭い組成を有する十分に特徴付けられたランダムエチレンコポリマーを用いた較正によって決定することができる２つの定数である。αおよびβは、機器毎に様々でありうることに留意すべきである。さらには、較正を生じるために用いられる分取ＴＲＥＦフラクションおよび／またはランダムコポリマーについて適切な分子量範囲およびコモノマー型を用いて、前記ポリマー組成で適切な較正曲線を生成する必要があるであろう。わずかな分子量効果が存在する。較正曲線が、同様な分子量範囲から得られるならば、このような効果は、本質的に無視しうるであろう。いくつかの実施形態において、ランダムエチレンコポリマーおよび／またはランダムコポリマーの分取ＴＲＥＦフラクションは、次の関係を満たす。